(57)【要約】【課題】  この発明は、ＲＧＢ信号をＲＧＢＸ信号に変換した際に、変換後の各信号に対応する電流密度のばらつきを低減化させることができる自発光型ディスプレイの信号処理回路および信号処理方法を提供することを目的とする。【解決手段】  ＲＧＢ毎の最大電流密度に基づいて、各ＲＧＢ入力信号に対応する電流密度を算出する第１手段、第１手段によって算出された各ＲＧＢ入力信号に対応する電流密度に基づいて、入力信号に対応する電流密度が最大の信号（以下、基準信号という）を判別する第２手段、ＲＧＢ信号によってＸの色度および最大輝度を実現できるＲＧＢ信号値のうちの第２手段によって判別された基準信号に対応する信号値と、Ｘに対応する最大電流密度とに基づいて、第１手段によって算出された基準信号に対応する電流密度が、基準信号とＸとで均等配分されるようなＸの出力信号値を算出する第３手段を備えている。【選択図】  図１
2006163067.tif 000002
【特許請求の範囲】
【請求項１】
ＸをＲＧＢ以外の任意の色として、１画素がＲＧＢＸの４つの単位画素から構成されている自発光型ディスプレイの信号処理回路であって、ＲＧＢ信号によってＸの色度および最大輝度を実現できるＲＧＢ信号値と、各ＲＧＢＸ単位画素が最大輝度となる場合のＲＧＢＸ毎の電流密度（以下、最大電流密度という）とが予め設定されている自発光型ディスプレイの信号処理回路において、
ＲＧＢ入力信号をＲＧＢＸ信号に変換するＲＧＢ−ＲＧＢＸ信号変換手段を備えており、
ＲＧＢ−ＲＧＢＸ信号変換手段は、
ＲＧＢ毎の最大電流密度に基づいて、各ＲＧＢ入力信号に対応する電流密度を算出する第１手段、
第１手段によって算出された各ＲＧＢ入力信号に対応する電流密度に基づいて、入力信号に対応する電流密度が最大の信号（以下、基準信号という）を判別する第２手段、
ＲＧＢ信号によってＸの色度および最大輝度を実現できるＲＧＢ信号値のうちの第２手段によって判別された基準信号に対応する信号値と、Ｘに対応する最大電流密度とに基づいて、第１手段によって算出された基準信号に対応する電流密度が、基準信号とＸとで均等配分されるようなＸの出力信号値を算出する第３手段、
ＲＧＢ信号によってＸの色度および最大輝度を実現できるＲＧＢ信号値と、第３手段によって算出されたＸの出力信号値とに基づいて、Ｘの出力信号値に対応するＲＧＢ信号値を算出する第４手段、ならびに
各ＲＧＢ入力信号から、第４手段によって算出されたＸの出力信号値に対応するＲＧＢ信号値を減算することにより、ＲＧＢの出力信号値を算出する第５手段、
を備えていることを特徴とする自発光型ディスプレイの信号処理回路。
【請求項２】
ＸをＲＧＢ以外の任意の色として、１画素がＲＧＢＸの４つの単位画素から構成されている自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＸ信号に変換するＲＧＢ−ＲＧＢＸ信号変換手段およびＲＧＢ−ＲＧＢＸ信号変換手段によって得られたＲＧＢＸ信号に対して自発光型ディスプレイに対応したガンマ補正を行うガンマ補正手段を備えており、
逆ガンマ補正手段によって得られるガンマ補正前のＲＧＢ信号を対象として、ＲＧＢ信号によってＸの色度および最大輝度を実現できるＲＧＢ信号値と、各ＲＧＢＸ単位画素が最大輝度となる場合のＲＧＢＸ毎の電流密度（以下、最大電流密度という）とが予め設定されており、
ＲＧＢ−ＲＧＢＸ信号変換手段は、
ＲＧＢ毎の最大電流密度に基づいて、各ＲＧＢ入力信号に対応する電流密度を算出する第１手段、
第１手段によって算出された各ＲＧＢ入力信号に対応する電流密度に基づいて、入力信号に対応する電流密度が最大の信号（以下、基準信号という）を判別する第２手段、
ＲＧＢ信号によってＸの色度および最大輝度を実現できるＲＧＢ信号値のうちの第２手段によって判別された基準信号に対応する信号値と、Ｘに対応する最大電流密度とに基づいて、第１手段によって算出された基準信号に対応する電流密度が、基準信号とＸとで均等配分されるようなＸの出力信号値を算出する第３手段、
ＲＧＢ信号によってＸの色度および最大輝度を実現できるＲＧＢ信号値と、第３手段によって算出されたＸの出力信号値とに基づいて、Ｘの出力信号値に対応するＲＧＢ信号値を算出する第４手段、ならびに
各ＲＧＢ入力信号から、第４手段によって算出されたＸの出力信号値に対応するＲＧＢ信号値を減算することにより、ＲＧＢの出力信号値を算出する第５手段、
を備えていることを特徴とする自発光型ディスプレイの信号処理回路。
【請求項３】
ＸをＲＧＢ以外の任意の色として、１画素がＲＧＢＸの４つの単位画素から構成されている自発光型ディスプレイの信号処理方法であって、ＲＧＢ信号によってＸの色度および最大輝度を実現できるＲＧＢ信号値と、各ＲＧＢＸ単位画素が最大輝度となる場合のＲＧＢＸ毎の電流密度（以下、最大電流密度という）とが予め設定されている自発光型ディスプレイの信号処理方法において、
ＲＧＢ入力信号をＲＧＢＸ信号に変換するＲＧＢ−ＲＧＢＸ信号変換ステップを備えており、
ＲＧＢ−ＲＧＢＸ信号変換ステップは、
ＲＧＢ毎の最大電流密度に基づいて、各ＲＧＢ入力信号に対応する電流密度を算出する第１ステップ、
第１ステップによって算出された各ＲＧＢ入力信号に対応する電流密度に基づいて、入力信号に対応する電流密度が最大の信号（以下、基準信号という）を判別する第２ステップ、
ＲＧＢ信号によってＸの色度および最大輝度を実現できるＲＧＢ信号値のうちの第２ステップによって判別された基準信号に対応する信号値と、Ｘに対応する最大電流密度とに基づいて、第１ステップによって算出された基準信号に対応する電流密度が、基準信号とＸとで均等配分されるようなＸの出力信号値を算出する第３ステップ、
ＲＧＢ信号によってＸの色度および最大輝度を実現できるＲＧＢ信号値と、第３ステップによって算出されたＸの出力信号値とに基づいて、Ｘの出力信号値に対応するＲＧＢ信号値を算出する第４ステップ、ならびに
各ＲＧＢ入力信号から、第４ステップによって算出されたＸの出力信号値に対応するＲＧＢ信号値を減算することにより、ＲＧＢの出力信号値を算出する第５ステップ、
を備えていることを特徴とする自発光型ディスプレイの信号処理回路。
【請求項４】
ＸをＲＧＢ以外の任意の色として、１画素がＲＧＢＸの４つの単位画素から構成されている自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＸ信号に変換するＲＧＢ−ＲＧＢＸ信号変換ステップおよびＲＧＢ−ＲＧＢＸ信号変換ステップによって得られたＲＧＢＸ信号に対して自発光型ディスプレイに対応したガンマ補正を行うガンマ補正ステップを備えており、
逆ガンマ補正ステップによって得られるガンマ補正前のＲＧＢ信号を対象として、ＲＧＢ信号によってＸの色度および最大輝度を実現できるＲＧＢ信号値と、各ＲＧＢＸ単位画素が最大輝度となる場合のＲＧＢＸ毎の電流密度（以下、最大電流密度という）とが予め設定されており、
ＲＧＢ−ＲＧＢＸ信号変換ステップは、
ＲＧＢ毎の最大電流密度に基づいて、各ＲＧＢ入力信号に対応する電流密度を算出する第１ステップ、
第１ステップによって算出された各ＲＧＢ入力信号に対応する電流密度に基づいて、入力信号に対応する電流密度が最大の信号（以下、基準信号という）を判別する第２ステップ、
ＲＧＢ信号によってＸの色度および最大輝度を実現できるＲＧＢ信号値のうちの第２ステップによって判別された基準信号に対応する信号値と、Ｘに対応する最大電流密度とに基づいて、第１ステップによって算出された基準信号に対応する電流密度が、基準信号とＸとで均等配分されるようなＸの出力信号値を算出する第３ステップ、
ＲＧＢ信号によってＸの色度および最大輝度を実現できるＲＧＢ信号値と、第３ステップによって算出されたＸの出力信号値とに基づいて、Ｘの出力信号値に対応するＲＧＢ信号値を算出する第４ステップ、ならびに
各ＲＧＢ入力信号から、第４ステップによって算出されたＸの出力信号値に対応するＲＧＢ信号値を減算することにより、ＲＧＢの出力信号値を算出する第５ステップ、
を備えていることを特徴とする自発光型ディスプレイの信号処理方法。
【発明の詳細な説明】
【技術分野】
【０００１】
この発明は、自発光型ディスプレイの信号処理回路および信号処理方法に関する。
【背景技術】
【０００２】
有機ＥＬディスプレイ等の自発光型ディスプレイは、薄型、軽量、低消費電力などの特徴を有しており、用途が広がっている。
【０００３】
ところで、ＸをＲＧＢ以外の任意の色として、１画素がＲＧＢＸの４つの単位画素から構成されている自発光型ディスプレイがある。このような自発光型ディスプレイの信号処理回路では、ＲＧＢ入力信号がＲＧＢＸ信号に変換されて、自発光型ディスプレイに供給される。
【特許文献１】特開平１１−２９５７１７号公報
【発明の開示】
【発明が解決しようとする課題】
【０００４】
この発明は、ＲＧＢ信号をＲＧＢＸ信号に変換した際に、変換後の各信号に対応する電流密度のばらつきを低減化させることができる自発光型ディスプレイの信号処理回路および信号処理方法を提供することを目的とする。
【課題を解決するための手段】
【０００５】
請求項１に記載の発明は、ＸをＲＧＢ以外の任意の色として、１画素がＲＧＢＸの４つの単位画素から構成されている自発光型ディスプレイの信号処理回路であって、ＲＧＢ信号によってＸの色度および最大輝度を実現できるＲＧＢ信号値と、各ＲＧＢＸ単位画素が最大輝度となる場合のＲＧＢＸ毎の電流密度（以下、最大電流密度という）とが予め設定されている自発光型ディスプレイの信号処理回路において、
ＲＧＢ入力信号をＲＧＢＸ信号に変換するＲＧＢ−ＲＧＢＸ信号変換手段を備えており、
ＲＧＢ−ＲＧＢＸ信号変換手段は、
ＲＧＢ毎の最大電流密度に基づいて、各ＲＧＢ入力信号に対応する電流密度を算出する第１手段、
第１手段によって算出された各ＲＧＢ入力信号に対応する電流密度に基づいて、入力信号に対応する電流密度が最大の信号（以下、基準信号という）を判別する第２手段、
ＲＧＢ信号によってＸの色度および最大輝度を実現できるＲＧＢ信号値のうちの第２手段によって判別された基準信号に対応する信号値と、Ｘに対応する最大電流密度とに基づいて、第１手段によって算出された基準信号に対応する電流密度が、基準信号とＸとで均等配分されるようなＸの出力信号値を算出する第３手段、
ＲＧＢ信号によってＸの色度および最大輝度を実現できるＲＧＢ信号値と、第３手段によって算出されたＸの出力信号値とに基づいて、Ｘの出力信号値に対応するＲＧＢ信号値を算出する第４手段、ならびに
各ＲＧＢ入力信号から、第４手段によって算出されたＸの出力信号値に対応するＲＧＢ信号値を減算することにより、ＲＧＢの出力信号値を算出する第５手段、
を備えていることを特徴とする。
【０００６】
請求項２に記載の発明は、ＸをＲＧＢ以外の任意の色として、１画素がＲＧＢＸの４つの単位画素から構成されている自発光型ディスプレイの信号処理回路において、
予めガンマ補正がかけられているＲＧＢ入力信号に対して逆ガンマ補正を行うことにより、ＲＧＢ入力信号をガンマ補正前のＲＧＢ信号に変換する逆ガンマ補正手段、逆ガンマ補正手段によって得られたＲＧＢ信号をＲＧＢ入力信号とし、ＲＧＢ入力信号をＲＧＢＸ信号に変換するＲＧＢ−ＲＧＢＸ信号変換手段およびＲＧＢ−ＲＧＢＸ信号変換手段によって得られたＲＧＢＸ信号に対して自発光型ディスプレイに対応したガンマ補正を行うガンマ補正手段を備えており、
逆ガンマ補正手段によって得られるガンマ補正前のＲＧＢ信号を対象として、ＲＧＢ信号によってＸの色度および最大輝度を実現できるＲＧＢ信号値と、各ＲＧＢＸ単位画素が最大輝度となる場合のＲＧＢＸ毎の電流密度（以下、最大電流密度という）とが予め設定されており、
ＲＧＢ−ＲＧＢＸ信号変換手段は、
ＲＧＢ毎の最大電流密度に基づいて、各ＲＧＢ入力信号に対応する電流密度を算出する第１手段、
第１手段によって算出された各ＲＧＢ入力信号に対応する電流密度に基づいて、入力信号に対応する電流密度が最大の信号（以下、基準信号という）を判別する第２手段、
ＲＧＢ信号によってＸの色度および最大輝度を実現できるＲＧＢ信号値のうちの第２手段によって判別された基準信号に対応する信号値と、Ｘに対応する最大電流密度とに基づいて、第１手段によって算出された基準信号に対応する電流密度が、基準信号とＸとで均等配分されるようなＸの出力信号値を算出する第３手段、
ＲＧＢ信号によってＸの色度および最大輝度を実現できるＲＧＢ信号値と、第３手段によって算出されたＸの出力信号値とに基づいて、Ｘの出力信号値に対応するＲＧＢ信号値を算出する第４手段、ならびに
各ＲＧＢ入力信号から、第４手段によって算出されたＸの出力信号値に対応するＲＧＢ信号値を減算することにより、ＲＧＢの出力信号値を算出する第５手段、
を備えていることを特徴とする。
【０００７】
請求項３に記載の発明は、ＸをＲＧＢ以外の任意の色として、１画素がＲＧＢＸの４つの単位画素から構成されている自発光型ディスプレイの信号処理方法であって、ＲＧＢ信号によってＸの色度および最大輝度を実現できるＲＧＢ信号値と、各ＲＧＢＸ単位画素が最大輝度となる場合のＲＧＢＸ毎の電流密度（以下、最大電流密度という）とが予め設定されている自発光型ディスプレイの信号処理方法において、
ＲＧＢ入力信号をＲＧＢＸ信号に変換するＲＧＢ−ＲＧＢＸ信号変換ステップを備えており、
ＲＧＢ−ＲＧＢＸ信号変換ステップは、
ＲＧＢ毎の最大電流密度に基づいて、各ＲＧＢ入力信号に対応する電流密度を算出する第１ステップ、
第１ステップによって算出された各ＲＧＢ入力信号に対応する電流密度に基づいて、入力信号に対応する電流密度が最大の信号（以下、基準信号という）を判別する第２ステップ、
ＲＧＢ信号によってＸの色度および最大輝度を実現できるＲＧＢ信号値のうちの第２ステップによって判別された基準信号に対応する信号値と、Ｘに対応する最大電流密度とに基づいて、第１ステップによって算出された基準信号に対応する電流密度が、基準信号とＸとで均等配分されるようなＸの出力信号値を算出する第３ステップ、
ＲＧＢ信号によってＸの色度および最大輝度を実現できるＲＧＢ信号値と、第３ステップによって算出されたＸの出力信号値とに基づいて、Ｘの出力信号値に対応するＲＧＢ信号値を算出する第４ステップ、ならびに
各ＲＧＢ入力信号から、第４ステップによって算出されたＸの出力信号値に対応するＲＧＢ信号値を減算することにより、ＲＧＢの出力信号値を算出する第５ステップ、
を備えていることを特徴とする。
【０００８】
請求項４に記載の発明は、ＸをＲＧＢ以外の任意の色として、１画素がＲＧＢＸの４つの単位画素から構成されている自発光型ディスプレイの信号処理方法において、
予めガンマ補正がかけられているＲＧＢ入力信号に対して逆ガンマ補正を行うことにより、ＲＧＢ入力信号をガンマ補正前のＲＧＢ信号に変換する逆ガンマ補正ステップ、逆ガンマ補正ステップによって得られたＲＧＢ信号をＲＧＢ入力信号とし、ＲＧＢ入力信号をＲＧＢＸ信号に変換するＲＧＢ−ＲＧＢＸ信号変換ステップおよびＲＧＢ−ＲＧＢＸ信号変換ステップによって得られたＲＧＢＸ信号に対して自発光型ディスプレイに対応したガンマ補正を行うガンマ補正ステップを備えており、
逆ガンマ補正ステップによって得られるガンマ補正前のＲＧＢ信号を対象として、ＲＧＢ信号によってＸの色度および最大輝度を実現できるＲＧＢ信号値と、各ＲＧＢＸ単位画素が最大輝度となる場合のＲＧＢＸ毎の電流密度（以下、最大電流密度という）とが予め設定されており、
ＲＧＢ−ＲＧＢＸ信号変換ステップは、
ＲＧＢ毎の最大電流密度に基づいて、各ＲＧＢ入力信号に対応する電流密度を算出する第１ステップ、
第１ステップによって算出された各ＲＧＢ入力信号に対応する電流密度に基づいて、入力信号に対応する電流密度が最大の信号（以下、基準信号という）を判別する第２ステップ、
ＲＧＢ信号によってＸの色度および最大輝度を実現できるＲＧＢ信号値のうちの第２ステップによって判別された基準信号に対応する信号値と、Ｘに対応する最大電流密度とに基づいて、第１ステップによって算出された基準信号に対応する電流密度が、基準信号とＸとで均等配分されるようなＸの出力信号値を算出する第３ステップ、
ＲＧＢ信号によってＸの色度および最大輝度を実現できるＲＧＢ信号値と、第３ステップによって算出されたＸの出力信号値とに基づいて、Ｘの出力信号値に対応するＲＧＢ信号値を算出する第４ステップ、ならびに
各ＲＧＢ入力信号から、第４ステップによって算出されたＸの出力信号値に対応するＲＧＢ信号値を減算することにより、ＲＧＢの出力信号値を算出する第５ステップ、
を備えていることを特徴とする。
【発明の効果】
【０００９】
この発明によれば、ＲＧＢ信号をＲＧＢＸ信号に変換した際に、変換後の各信号に対応する電流密度のばらつきを低減化させることができるようになる。
【発明を実施するための最良の形態】
【００１０】
以下、図面を参照して、この発明の実施例について説明する。
【実施例１】
【００１１】
〔１〕本願発明の基本的な考え方
〔１−１〕一般的なＲＧＢ−ＲＧＢＸ信号変換処理についての説明
【００１２】
ＸをＲＧＢ以外の任意の色とした場合、ＲＧＢ入力信号を、ＲＧＢＸ信号に変換する基本的な考え方について説明する。ここでは、ＸがＹｅである場合を例にとって説明する。また、ＲＧＢの各信号は８ビットで表されるものとする。
【００１３】
以下の説明において、Ｙｅ（Ａ）、Ｒ（Ａ）、Ｇ（Ａ）、Ｂ（Ａ）は、Ｙｅ、Ｒ、Ｇ、Ｂの信号値がＡであることを表すものとする。
【００１４】
Ｙｅの最大輝度および色度を実現するめたのＲＧＢ信号値（Ｙｅ（２５５）を実現するためのＲＧＢ信号値）が、次式（１）で表されるものとする。
【００１５】
Ｙｅ（２５５）＝Ｒye＋Ｇye＋Ｂye
＝Ｒ（２５５）＋Ｇ（２４０）＋Ｂ（２０）  …（１）
【００１６】
ＲＧＢ入力信号Ｒin，Ｇin，Ｂinが、例えば、Ｒin＝２００，Ｇin＝１００，Ｂin＝１７０であるとする。まず、各ＲＧＢ入力信号に対するＲＧＢ−Ｙｅ変換率を算出する。Ｒ−Ｙｅ変換率、Ｇ−Ｙｅ変換率およびＢ−Ｙｅ変換率は、次式（２）となる。
【００１７】
Ｒ−Ｙｅ変換率＝Ｒin／Ｒye＝２００／２５５＝０．７８
Ｇ−Ｙｅ変換率＝Ｇin／Ｇye＝１００／２４０＝０．４２
Ｂ−Ｙｅ変換率＝Ｂin／Ｂye＝１７０／２０＝８．５          …（２）
【００１８】
この中で、最小値αはＧ−Ｙｅ変換率の０．４２である。そこで、Ｇ入力信号が０となるように、ＲＧＢ入力信号をＲＧＢＹｅ信号に変換する。つまり、変換後のＲＧＢＹｅ信号は、次式（３）により求められる。
【００１９】
Ｒ＝Ｒin−α×Ｒye＝２００−０．４２×２５５＝９３
Ｇ＝Ｇin−α×Ｇye＝１００−０．４２×２４０＝０
Ｂ＝Ｂin−α×Ｂye＝１７０−０．４２×２０＝１６２
Ｙｅ＝２５５×α＝２５５×０．４２＝１０７                …（３）
【００２０】
〔１−２〕本願発明のＲＧＢ−ＲＧＢＸ信号変換処理についての説明
本願発明では、変換後の各ＲＧＢＹｅ信号に対応する電流密度が、上記〔１〕に比べて平均化されるように、ＲＧＢ信号をＲＧＢＸ信号に変換する。
【００２１】
ＲＧＢＹｅの発光効率をＣR ，ＣG ，ＣB ，ＣYe[cd/A]とする。また、ＲＧＢＹｅの最大輝度（信号値が２５５のときの輝度）を、ＬmaxR，ＬmaxG，ＬmaxB，ＬmaxYe [cd/m2] とする。
【００２２】
ＲＧＢＹｅ信号が２５５のときの電流密度（最大電流密度）ＱmaxR，ＱmaxG，ＱmaxB，ＱmaxYe [I/m2]は、次式（４）で表される。
【００２３】
ＱmaxR＝ＬmaxR／ＣR 
ＱmaxG＝ＬmaxG／ＣG 
ＱmaxB＝ＬmaxB／ＣB 
ＱmaxYe ＝ＬmaxYe ／ＣYe      …（４）
【００２４】
各ＲＧＢ入力信号に対応する電流密度ＱR , ＱG ，ＱB の大小比較を行ない、最大の信号の電流密度をＹｅと均等配分するようにする。
【００２５】
以下、具体例に基づいて、説明する。
【００２６】
（ａ）  ＲＧＢ入力信号Ｒin，Ｇin，Ｂinが、例えば、Ｒin＝２５５，Ｇin＝２５５，Ｂin＝２５５である場合。
【００２７】
Ｙｅ（２５５）を実現するためのＲＧＢ信号値が、次式（５）で表されるものとする。      
【００２８】
Ｙｅ（２５５）＝Ｒye＋Ｇye＋Ｂye
＝Ｒ（２５５）＋Ｇ（２４０）＋Ｂ（２０）  …（５）
【００２９】
ＲＧＢＹｅの発光効率ＣR ，ＣG ，ＣB ，ＣYeが、それぞれ４．０，６．０，０．５，１０[cd/A]とする。また、ＲＧＢＹｅの最大輝度ＬmaxR，ＬmaxG，ＬmaxB，ＬmaxYe が、それぞれ３０，６０，１０，８７．２５[cd/m2] とする。
【００３０】
各ＲＧＢＹｅ信号が２５５のときの各ＲＧＢＹｅに対応する電流密度（最大電流密度）ＱmaxR，ＱmaxG，ＱmaxB，ＱmaxYe は、次式（６）により算出される。
【００３１】
ＱmaxR＝ＬmaxR／ＣR ＝３０／４＝７．５
ＱmaxG＝ＬmaxG／ＣG ＝６０／６＝１０
ＱmaxB＝ＬmaxB／ＣB ＝１０／０．５＝２０
ＱmaxYe ＝ＬmaxYe ／ＣYe＝８７．２５／１０＝８．７５    …（６）
【００３２】
まず、各ＲＧＢ入力信号に対応する電流密度ＱR , ＱG ，ＱB を次式（７）に基づいて算出する。
【００３３】
ＱR ＝Ｒin／２５５×ＱmaxR＝２５５／２５５×７．５＝７．５
ＱG ＝Ｇin／２５５×ＱmaxG＝２５５／２５５×１０＝１０
ＱB ＝Ｂin／２５５×ＱmaxB＝２５５／２５５×２０＝２０      …（７）
【００３４】
この場合、ＱB が最大となっているので、その電流密度ＱB がＢ信号とＹｅ信号とに均等配分されるようなＹｅの出力信号を算出する。ｙをＹｅの出力信号とすると、Ｙｅの出力信号ｙに対応する電流密度Ｑyeは、次式（８）で表される。
【００３５】
Ｑye＝ＱmaxYe ×ｙ／２５５＝８．７５×ｙ／２５５    …（８）
【００３６】
Ｙｅの出力信号がｙであるとすると、それに対応するＲＧＢ信号値は、Ｙｅ（２５５）を実現するためのＲＧＢ信号値から求めることができる。ｙに対応するＲＧＢ信号値のうちのＢ信号値は、ｙ／２５５×Ｂyeとなる。したがって、変換後のＢ信号Ｂ’は、Ｂin−（ｙ／２５５×Ｂye）となる。
【００３７】
変換後のＢ信号Ｂ’に対応する電流密度ＱB ’は、次式（９）で表される。
【００３８】
ＱB ’＝ＱmaxB×Ｂ’／２５５
＝｛Ｂin−（ｙ／２５５×Ｂye）｝／２５５
＝２０×｛２５５−（ｙ／２５５×２０）／２５５    …（９）
【００３９】
上記式（８）のＱyeと上記式（９）のＱB ’が等しくなるようにｙを調整するので、次式（１０）の方程式が成り立つ。
【００４０】
８．７５×ｙ／２５５＝２０×｛２５５−（ｙ／２５５×２０）／２５５…（１０）
【００４１】
上記式（１０）の方程式を解くことにより、ｙ＝４９４が得られる。ｙは２５５以下の値であるので、ｙ＝２５５とする。
【００４２】
ｙ＝２５５に対応するＲＧＢ信号は、次式（１１）によって算出される。
【００４３】
Ｒ”＝ｙ／２５５×Ｒye＝２５５
Ｇ”＝ｙ／２５５×Ｇye＝２４０
Ｂ”＝ｙ／２５５×Ｂye＝２０      …（１１）
【００４４】
したがって、ＲＧＢ−ＲＧＢＹｅ変換後のＲＧＢＹｅは、ＲＧＢ入力信号Ｒin、Ｇin、ＢinからＲ”、Ｇ”、Ｂ”を減算することにより、それぞれ０，１５，２３５，２５５となる。
【００４５】
（ｂ）  ＲＧＢ入力信号Ｒin，Ｇin，Ｂinが、例えば、Ｒin＝２５５，Ｇin＝２５５，Ｂin＝０である場合。
【００４６】
まず、各ＲＧＢ入力信号に対応する電流密度ＱR , ＱG ，ＱB を次式（１２）に基づいて算出する。
【００４７】
ＱR ＝Ｒin／２５５×ＱmaxR＝２５５／２５５×７．５＝７．５
ＱG ＝Ｇin／２５５×ＱmaxG＝２５５／２５５×１０＝１０
ＱB ＝Ｂin／２５５×ＱmaxB＝０／２５５×２０＝０          …（１２）
【００４８】
この場合、ＱG が最大となっているので、その電流密度ＱG がＧ信号とＹｅ信号とに均等配分されるようなＹｅの出力信号を算出する。ｙをＹｅの出力信号とすると、Ｙｅの出力信号ｙに対応する電流密度Ｑyeは、次式（１３）で表される。
【００４９】
Ｑye＝ＱmaxYe ×ｙ／２５５＝８．７５×ｙ／２５５    …（１３）
【００５０】
Ｙｅの出力信号がｙであるとすると、それに対応するＲＧＢ信号値は、Ｙｅ（２５５）を実現するためのＲＧＢ信号値から求めることができる。ｙに対応するＲＧＢ信号値のうちのＧ信号値は、ｙ／２５５×Ｇyeとなる。したがって、変換後のＧ信号Ｇ’は、Ｇin−（ｙ／２５５×Ｇye）となる。
【００５１】
変換後のＧ信号Ｇ’に対応する電流密度ＱG ’は、次式（１４）で表される。
【００５２】
ＱG ’＝ＱmaxG×Ｇ’／２５５
＝ＱmaxG×｛Ｇin−（ｙ／２５５×Ｇye）｝／２５５
＝１０×｛２５５−（ｙ／２５５×２４０）／２５５    …（１４）
【００５３】
上記式（１３）のＱyeと上記式（１４）のＱG ’が等しくなるようにｙを調整するので、次式（１５）の方程式が成り立つ。
【００５４】
８．７５×ｙ／２５５＝１０×｛２５５−（ｙ／２５５×２４０）／２５５…（１５）      
【００５５】
上記式（１５）の方程式を解くことにより、ｙ＝１４０が得られる。ｙ＝１４０に対応するＲＧＢ信号は、次式（１６）によって算出される。
【００５６】
Ｒ”＝ｙ／２５５×Ｒye＝１４０／２５５×２５５＝１４０
Ｇ”＝ｙ／２５５×Ｇye＝１４０／２５５×２４０＝１３２
Ｂ”＝ｙ／２５５×Ｂye＝１４０／２５０×２０＝１１        …（１６）
【００５７】
したがって、ＲＧＢ−ＲＧＢＹｅ変換後のＲＧＢＹｅは、ＲＧＢ入力信号Ｒin、Ｇin、ＢinからＲ”、Ｇ”、Ｂ”を減算することにより、それぞれ１１５，１２３，０，１４０となる。
【００５８】
〔２〕表示装置の構成の説明
図１は、表示装置の構成を示している。
有機ＥＬディスプレイ２５としては、白発光材料にカラーフィルタが張りつけられているものが用いられている。この有機ＥＬディスプレイ２５では、図２に示すように、１画素を４つの単位画素で構成し、そのうちの３つの単位画素に３原色、たとえば、Ｒ（赤），Ｇ（緑），Ｂ（青）を表示するためのカラーフィルタが配置されている。残りの１つの単位画素には、ＲＧＢ以外の任意の色、この例では、Ｙｅ（黄色）を表示するためのカラーフィルタが配置されている。
【００５９】
表示装置に入力されるデジタルのＲＧＢ入力信号には、予めガンマ補正がかけられているものとする。逆ガンマ補正回路２１には、予めガンマ補正がかけられているデジタルのＲＧＢ入力信号が入力される。逆ガンマ補正回路２１は、ＲＧＢ入力信号に対して逆ガンマ補正を行うことにより、ＲＧＢ入力信号をガンマ補正前のＲＧＢ信号に変換する。
【００６０】
逆ガンマ補正回路２１によって得られたＲＧＢ信号は、ＲＧＢ−ＲＧＢＹｅ信号変換回路２２に送られる。ＲＧＢ−ＲＧＢＹｅ信号変換回路２２は、ＲＧＢ入力信号をＲＧＢＹｅ信号に変換する。ＲＧＢ−ＲＧＢＹｅ信号変換回路２２によって得られたＲＧＢＹｅ信号は、ガンマ補正回路２３に送られる。
【００６１】
ガンマ補正回路２３は、入力されたＲＧＢＹｅ信号に対して有機ＥＬディスプレイ２５のパネル特性に応じたガンマ補正を行う。ガンマ補正回路２３によって得られたＲＧＢＹｅ信号は、Ｄ／Ａ変換回路２４によってアナログのＲＧＢＹｅ信号に変換される。Ｄ／Ａ変換回路２４によって得られたＲＧＢＹｅ信号は、１画素がＲＧＢＹｅの４つの単位画素で構成された有機ＥＬディスプレイ２５に送られる。
【００６２】
ＲＧＢ−ＲＧＢＹｅ信号変換回路２２は、逆ガンマ補正回路２１によって得られるガンマ補正前のＲＧＢ信号を対象として、Ｙｅ（対応するカラーフィルタによって決定される黄色）の最大輝度および色度を実現するためのＲＧＢ信号値（上述したＲye，Ｇye，Ｂye）に基づいて、ＲＧＢ信号をＲＧＢＹｅ信号に変換する。そこで、まず、Ｙｅ（２５５）を実現するためのＲＧＢ信号値の算出方法について説明する。
【００６３】
〔３〕Ｙｅ（２５５）を実現するためのＲＧＢ信号値の算出方法についての説明
【００６４】
図３は、ＲＧＢのリファレンス調整処理手順を示している。
【００６５】
目標の白Ｗt の輝度ＬWtおよび色度座標（ｘWt，ｙWt  ）を設定する（ステップＳ５１）。
【００６６】
次に、有機ＥＬディスプレイ２５のＲＧＢの色度を測定する（ステップＳ５２）。例えば、Ｒの色度を測定する場合には、有機ＥＬディスプレイ２５のＲ表示用の単位画素のみを発光させて、その色度を光学測定器によって測定する。測定されたＲＧＢの色度座標を、それぞれ（ｘR ，ｙR ），（ｘG ，ｙG ），（ｘB ，ｙB ）とする。図４に、ＲＧＢの色度座標および目標の白Ｗt の色度座標を示す。
【００６７】
次に、ＲＧＢによるホワイトバランス（ＷＢ）調整時のＲＧＢの輝度値を算出する（ステップＳ５３）。つまり、ＲＧＢの３色によって、目標の白Ｗt の輝度ＬWtおよび色度（ｘWt，ｙWt  ）を表現する際のＲＧＢの輝度値ＬWR（上記最大輝度ＬmaxRに相当），ＬWG（上記最大輝度ＬmaxGに相当），ＬWB（上記最大輝度ＬmaxBに相当）を算出する。この輝度値ＬWR，ＬWG，ＬWBは、次式（１７）から求められる。
【００６８】
【数１】
2006163067.tif 000003
【００６９】
ただし、ｚR ＝１−ｘR −ｙR 、ｚG ＝１−ｘG −ｙG 、ｚB ＝１−ｘB −ｙB 、ｚWt＝１−ｘWt−ｙWtである。
【００７０】
次に、上記ステップＳ５３の算出結果を用いて、ＲＧＢの白側リファレンス輝度を算出する（ステップＳ５４）。
【００７１】
ＲＧＢ入力信号値が８ビットで表される場合、ＲＧＢの白側リファレンス輝度は、ＲＧＢ信号として（２５５，２５５，２５５）をＲＧＢ−ＲＧＢＹｅ変換回路２２に入力したときに、発光輝度および発光色が目標の白Ｗt の輝度ＬWtおよび色度（ｘWt，ｙWt  ）となるように調整される。つまり、ＲＧＢ信号として（２５５，２５５，２５５）をＲＧＢ−ＲＧＢＹｅ変換回路２２に入力したときに、ＲＧＢの輝度がそれぞれ上記ステップＳ５３で算出したＬWR，ＬWG，ＬWBとなるように、ＲＧＢの白側リファレンス輝度が調整される。
【００７２】
図５は、Ｙｅのリファレンス調整処理手順を示している。
【００７３】
有機ＥＬディスプレイ２５のＹｅの色度を測定する（ステップＳ６１）。つまり、有機ＥＬディスプレイ２４のＹｅ表示用の単位画素のみを発光させて、その色度を光学測定器によって測定する。測定されたＹｅの色度座標を、（ｘye，ｙye）とする。図６に、ＲＧＢの色度座標、目標の白Ｗt の色度座標およびＹｅの色度座標を示す。
【００７４】
次に、ＲＧＢによるＹｅ調整時のＲＧＢの輝度比を算出する（ステップＳ６２）。つまり、ＲＧＢの３色によって、Ｙｅの色度（ｘye，ｙye）を表現する際のＲＧＢの輝度比ＬyeR ，ＬyeG ，ＬyeB を算出する。この輝度比ＬyeR ，ＬyeG ，ＬyeB は、次式（１８）から求められる。
【００７５】
【数２】
2006163067.tif 000004
【００７６】
ただし、ｚR ＝１−ｘR −ｙR 、ｚG ＝１−ｘG −ｙG 、ｚB ＝１−ｘB −ｙB 、ｚye＝１−ｘye−ｙyeである。
【００７７】
次に、図３のステップＳ５３で求められたＲＧＢによるホワイトバランス（ＷＢ）調整時のＲＧＢの輝度値ＬWR，ＬWG，ＬWBと、上記ステップＳ６２で求められたＲＧＢによるＹｅ調整時のＲＧＢの輝度比ＬyeR ，ＬyeG ，ＬyeB とに基づいて、Ｙｅ（２５５）を表現するときのＲＧＢ輝度を算出するとともに、Ｙｅ（２５５）を実現するためのＲＧＢの信号値を求める（ステップＳ６３）。
【００７８】
つまり、目標白（Ｗt ）を表現するときに決定したＲＧＢの輝度範囲内において、Ｙｅ（２５５）を表現するためのＲＧＢ輝度ＬyeR ’，ＬyeG ’，ＬyeB ’を算出する。
【００７９】
ＬWR／ＬyeR 、ＬWG／ＬyeG およびＬWB／ＬyeB を算出し、そのうちの最小値をＬyeR ，ＬyeG ，ＬyeB に乗算することによって、Ｙｅ（２５５）を表現するためのＲＧＢ輝度値ＬyeR ’，ＬyeG ’，ＬyeB ’が得られる。
【００８０】
例えば、ホワイトバランス（ＷＢ）調整時のＲＧＢの輝度ＬWR，ＬWG，ＬWBが３０[cd]：６０[cd]: １０[cd]であり、Ｙｅ調整時のＲＧＢの輝度比ＬyeR ，ＬyeG ，ＬyeB が０．２５：０．６：０．０５であるとすると、ＬWR／ＬyeR ＝１２０、ＬWG／ＬyeG ＝１００、ＬWB／ＬyeB ＝２００となる。最小値は１００であるので、ＬyeR ，ＬyeG ，ＬyeB それぞれに１００を乗算すると、Ｙｅ（２５５）を表現するためのＲＧＢ輝度ＬyeR ’，ＬyeG ’，ＬyeB ’は２５[cd]、６０[cd]、５[cd]となる。
【００８１】
Ｙｅ（２５５）を表現するためのＲＧＢ輝度を（ＬyeR ’，ＬyeG ’，ＬyeB ’）とし、ホワイトバランス（ＷＢ）調整時のＲＧＢの輝度値を（ＬWR，ＬWG，ＬWB）とすると、Ｙｅ（２５５）を実現するためのＲＧＢの信号値（Ｒye，Ｇye，Ｂye）は、Ｒye＝２５５×ＬyeR ’／ＬWR，Ｇye＝２５５×ＬyeG ’／ＬWG，Ｂye＝２５５×ＬyeB ’／ＬWBとなる。
【００８２】
上記の例では、Ｒye＝２５５×２５／３０＝２１３、Ｇye＝２５５×６０／６０＝２５５、Ｂye＝２５５×５／１０＝１２８となる。
【００８３】
次に、上記ステップＳ６３で求められたＹｅ（２５５）を表現するためのＲＧＢ輝度値ＬyeR ’，ＬyeG ’，ＬyeB ’に基づいて、Ｙｅの白側リファレンスを調整する（ステップＳ６４）。Ｙｅの白側リファレンス電圧（Ｙｅ＝２５５に対応するＤ／Ａ変換器２４の出力電圧）は、Ｙｅのみ表示したときに、その輝度が、Ｙｅ（２５５）を表現するためのＲＧＢ輝度の合計値（ＬyeR ’＋ＬyeG ’＋ＬyeB ’）となるように調整される。このＹｅ（２５５）を表現するためのＲＧＢ輝度の合計値（ＬyeR ’＋ＬyeG ’＋ＬyeB ’）が、上述した最大輝度ＬmaxYe に相当する。
【００８４】
なお、ＲＧＢＹｅの発光効率ＣR ，ＣG ，ＣB ，ＣYe[cd/A]は、例えば、次のようにして求められる。Ｒの発光効率ＣR を求める場合について説明する。まず、上述したようなリファレンス調整が行われた後に、Ｒ表示用の単位画素のみをその最大輝度ＬWR（＝ＬmaxR）で発光させる。そして、そのときにＲ表示用の単位画素に流れる電流を計測する。そして、最大輝度ＬWRを計測した電流値で除算することにより、Ｒの発光効率ＣR を算出する。ＣG ，ＣB ，ＣYeについても同様な方法で、算出する。
【００８５】
そして、算出されたＲＧＢＹｅの発光効率ＣR ，ＣG ，ＣB ，ＣYe[cd/A]と、ＲＧＢＹｅの最大輝度ＬmaxR，ＬmaxG，ＬmaxB，ＬmaxYe [cd/m2]  から、上記式（４）に基づいて、ＲＧＢＹｅ信号が２５５のときの電流密度（最大電流密度）ＱmaxR，ＱmaxG，ＱmaxB，ＱmaxYe [I/m2]を求める。
【００８６】
〔４〕ＲＧＢ−ＲＧＢＹｅ信号変換回路２２によるＲＧＢ−ＲＧＢＹｅ信号変換処理についての説明
【００８７】
図７は、ＲＧＢ−ＲＧＢＹｅ信号変換回路２２によるＲＧＢ−ＲＧＢＹｅ信号変換処理手順を示している。
【００８８】
ここでは、ＲＧＢ−ＲＧＢＹｅ信号変換回路２２への入力信号をＲＧＢ入力信号Ｒin，Ｇin，Ｂinと呼ぶことにする。
【００８９】
まず、各ＲＧＢ入力信号に対応する電流密度ＱR , ＱG ，ＱB を次式（１９）に基づいて算出する（ステップＳ７１）。
【００９０】
ＱR ＝Ｒin／２５５×ＱmaxR
ＱG ＝Ｇin／２５５×ＱmaxG
ＱB ＝Ｂin／２５５×ＱmaxB      …（１９）
【００９１】
そして、入力信号に対応する電流密度が最大の信号を判別する（ステップＳ７２）。
【００９２】
入力信号に対応する電流密度が最大の信号がＲの場合には、上記ステップＳ７１で算出されたＲ信号に対応する電流密度ＱR が、ＲとＹｅとで均等配分されるようなＹｅの出力信号値を算出する（ステップＳ７３）。つまり、次式（２０）の方程式を解くことにより、Ｙｅ信号の出力値ｙを算出する。ｙが２５５を越えた場合には、ｙ＝２５５とする。そして、ステップＳ７６に進む。
【００９３】
ＱmaxYe ×ｙ／２５５＝ＱmaxR×｛Ｒin−（ｙ／２５５×Ｒye）｝／２５５…（２０）      
【００９４】
入力信号に対応する電流密度が最大の信号がＧの場合には、上記ステップＳ７１で算出されたＧ信号に対応する電流密度ＱG が、ＧとＹｅとで均等配分されるようなＹｅの出力信号値を算出する（ステップＳ７４）。つまり、次式（２１）の方程式を解くことにより、Ｙｅ信号の出力値ｙを算出する。ｙが２５５を越えた場合には、ｙ＝２５５とする。そして、ステップＳ７６に進む。
【００９５】
ＱmaxYe ×ｙ／２５５＝ＱmaxG×｛Ｇin−（ｙ／２５５×Ｇye）｝／２５５…（２１）      
【００９６】
入力信号に対応する電流密度が最大の信号がＢの場合には、上記ステップＳ７１で算出されたＢ信号に対応する電流密度ＱB が、ＢとＹｅとで均等配分されるようなＹｅの出力信号値を算出する（ステップＳ７５）。つまり、次式（２２）の方程式を解くことにより、Ｙｅ信号の出力値ｙを算出する。ｙが２５５を越えた場合には、ｙ＝２５５とする。そして、ステップＳ７６に進む。
【００９７】
ＱmaxYe ×ｙ／２５５＝ＱmaxB×｛Ｂin−（ｙ／２５５×Ｂye）｝／２５５…（２２）      
【００９８】
ステップＳ７６では、Ｙｅ（２５５）を実現できるＲＧＢ信号値と、上記ステップＳ７３、Ｓ７４またはＳ７５によって算出されたＹｅの出力信号値ｙとに基づいて、Ｙｅの出力信号値ｙに対応するＲＧＢ信号値を算出する。つまり、次式（２３）に基づいて、Ｙｅの出力信号値ｙに対応するＲＧＢ信号値を算出する。
【００９９】
Ｒ”＝ｙ／２５５×Ｒye
Ｇ”＝ｙ／２５５×Ｇye
Ｂ”＝ｙ／２５５×Ｂye      …（２３）
【０１００】
そして、各ＲＧＢ入力信号から、上記ステップＳ７６によって算出されたＹｅの出力信号値ｙに対応するＲＧＢ信号値を減算することにより、ＲＧＢの出力信号値を算出する（ステップＳ７７）。つまり、次式（２３）に基づいて、Ｙｅの出力信号値ｙに対応するＲＧＢ信号値を算出する。
【０１０１】
Ｒout ＝Ｒin−Ｒ”
Ｇout ＝Ｇin−Ｇ”
Ｂout ＝Ｂin−Ｂ”    …（２４）
【０１０２】
この結果、ＲＧＢ−ＲＧＢＹｅ信号変換回路２２から出力されるＲＧＢＹｅ信号の値は、Ｒout ，Ｇout ，Ｂout ，ｙとなる。
【０１０３】
なお、この発明は、ＸをＲＧＢ以外の任意の色とし、ＲＧＢ信号をＲＧＢＹｅ信号に変換する場合に適用することができる。
【図面の簡単な説明】
【０１０４】
【図１】表示装置の構成を示すブロック図である。
【図２】１画素がＲ，Ｇ，Ｂ，Ｙｅの４つの単位で構成されている例を示す模式図である。
【図３】ＲＧＢのリファレンス調整処理手順を示すフローチャートである。
【図４】ＲＧＢの色度座標および目標の白Ｗt の色度座標を示す模式図である。
【図５】Ｙｅのリファレンス調整処理手順を示すフローチャートである。
【図６】ＲＧＢの色度座標、目標の白Ｗt の色度座標およびＹｅの色度座標を示す模式図である。
【図７】ＲＧＢ−ＲＧＢＹｅ信号変換回路２２によるＲＧＢ−ＲＧＢＹｅ信号変換処理手順を示すフローチャートである。
【符号の説明】
【０１０５】
２１  逆ガンマ補正回路
２２  ＲＧＢ−ＲＧＢＹｅ信号変換回路
２３  ガンマ補正回路
２４  Ｄ／Ａ変換回路
２５  有機ＥＬディスプレイ
【図１】
2006163067.tif 000005
【図２】
2006163067.tif 000006
【図３】
2006163067.tif 000007
【図４】
2006163067.tif 000008
【図５】
2006163067.tif 000009
【図６】
2006163067.tif 000010
【図７】
2006163067.tif 000011